(57)【特許請求の範囲】
【請求項１】
ｎが１よりも大きい整数であるｎチャネル・ディジタルオーディオ信号のようなディジタル情報信号をエンコードする装置であって、
上記ディジタル情報信号を受信する入力手段と、
各チャネル信号に対する確率値に応答して上記各チャネル信号に対してエンコードされたチャネル信号が得られるよう上記ｎチャネル・ディジタルオーディオ信号の上記各チャネル信号をエンコードするために適合され、上記エンコードされたディジタル情報信号を得るよう上記ディジタル情報信号をエンコードするエンコード手段と、
上記各チャネル信号から予測フィルタ処理されたチャネル信号が得られるよう上記各チャネル信号に対する一組の予測フィルタ係数に応答して上記ｎチャネル・ディジタルオーディオ信号の上記各チャネル信号に予測フィルタリングを行う予測フィルタ手段と、
上記各チャネル信号に対して一組の予測フィルタ係数を発生する予測フィルタ係数決定手段と、
上記各チャネル信号に対する確率表及び対応する上記予測フィルタ処理されたチャネル信号に応答して上記各チャネル信号に対する確率値を発生する確率値決定手段と、
上記各チャネル信号に対する上記確率表を発生する確率表決定手段と、
ｍは１≦ｍ≦ｎを満たし、ｐは１≦ｐ≦ｎを満たす整数であり、上記ｎチャネルに対する上記ｎ組の予測フィルタ係数を表わす第１のマッピング情報及び複数のｍ組の予測フィルタ係数を発生し、上記ｎチャネルに対する上記ｎ個の確率表を表わす第２のマッピング情報及び複数のｐ個の確率表を発生する交換手段と、
圧縮された上記ディジタル情報信号、上記第１のマッピング情報信号、上記第２のマッピング情報信号、上記複数のｍ組の予測フィルタ係数及び上記複数のｐ個の確率表を複合情報信号に組み合わす組み合わせ手段と、
上記複合情報信号を出力する出力手段とを有する装置。
【請求項２】
ｎが１よりも大きい整数であるｎチャネル・ディジタルオーディオ信号のようなディジタル情報信号をエンコードする装置であって、
上記ディジタル情報信号を受信する入力手段と、
ｎチャネルオーディオ信号の上記各チャネル信号の時間的等価信号ブロックをＭのセグメントに分割することでエンコードし、上記時間的等価信号ブロック中の全ての上記Ｍのセグメントにおいて上記チャネル信号の信号部分をエンコードするために適合され、上記各信号部分に対する確率値に応答して上記Ｍのセグメント中の上記各信号部分のエンコードされた信号部分が得られ、
このとき、
【外１】
0004482237.tif 000018
であり、ｓｐｉは上記ｉ番目のチャネル信号の上記時間的等価信号ブロック中のセグメント数である、エンコードされたディジタル情報信号を得るよう上記ディジタル情報信号をエンコードするエンコード手段と、
上記各Ｍの信号部分に対する確率表に応答して上記各Ｍの信号部分に対して確率値を発生する確率値決定手段と、
上記各Ｍの信号部分に対する上記確率表を発生する確率表決定手段と、
ｍは１≦ｍ≦Ｍを満たす整数であり、上記ｎチャネル信号中の上記Ｍのセグメントの長さ及び位置に関する情報を第１のセグメント情報に変換し、上記Ｍ個の確率表を表わす第１のマッピング情報及び複数のｍ個の確率表を発生する変換手段と、
上記時間的等価信号ブロック中に含まれる上記エンコードされたディジタル情報信号の一部分、上記第１のセグメント情報、上記第１のマッピング情報信号、及び、複数のｍ個の確率表を複合情報信号に組み合わす組み合わせ手段と、
上記複合情報信号を出力する出力手段とを有する。
【請求項３】
上記ｎチャネル・ディジタルオーディオ信号の上記各チャネル信号の時間的等価信号ブロックをセグメントに分割することで予測フィルタ処理し、上記時間的等価信号ブロック中の全てのＰのセグメントにおいて上記チャネル信号の上記信号部分を予測フィルタリングするために適合され、上記各信号部分に対する一組の予測フィルタに応答して上記各Ｐの信号部分に対して予測フィルタ処理された信号部分が得られ、
このとき、
【外２】
0004482237.tif 000019
であり、ｓｆｉはｉ番目のチャネル信号の上記時間的等価信号ブロック中のセグメント数である、予測フィルタ処理されたチャネル信号を得るよう上記ディジタル情報信号に対して予測フィルタリングを行う予測フィルタ手段と、
上記各Ｐの信号部分に対して一組の予測フィルタ係数を発生する予測フィルタ係数決定手段と、
ｐは１≦ｐ≦Ｐを満たす整数であり、上記ｎチャネル信号中の上記Ｐのセグメントの長さ及び位置に関する情報を第２のセグメント情報に変換し、上記Ｍ個の確率表を表わす第２のマッピング情報及び複数のｐ個の確率表を発生する変換手段と、
上記第２のセグメント情報、上記第２のマッピング情報信号、及び、複数のｐの予測フィルタ係数を複合情報信号に組み合わすために更に適合された組み合わせ手段とを有する請求項２記載の装置。
【請求項４】
上記変換手段は、上記確率表に対する上記時間的等価信号ブロックの上記セグメンテーションが上記一組の予測フィルタ係数に対する上記時間的等価信号ブロックのセグメンテーションと異なることを表示する第１の値の第１の表示単語と、
上記確率表に対する上記時間的等価信号ブロックの上記セグメンテーションが上記一組の予測フィルタ係数に対する上記時間的等価信号ブロックのセグメンテーションと同じであることを表示する第２の値の第１の表示単語とを発生し、
上記第１の表示単語が上記第２の値を有する場合、上記第１又は上記第２のセグメンテーション情報のうち一方だけを供給することに適合され、
上記組み合わせ手段は、上記第１の表示単語が上記第２の値を有する場合、上記第１の表示単語及び上記第１のセグメンテーション情報又は上記第２のセグメンテーション情報のうち一方だけを上記複合情報信号に組み合わすことに適合される請求項３記載の装置。
【請求項５】
上記変換手段は、上記第１の表示単語が上記第２の値を有する場合、上記第１のセグメント情報又は上記第２のセグメント情報のうち一方だけを発生すよう適合される請求項４記載の装置。
【請求項６】
上記変換手段は、上記時間的等価信号ブロックが全て同じセグメンテーションを上記一組の予測フィルタ係数に対して有することを表示する第３の値の第２の表示単語と、
上記時間的等価信号ブロックが夫々異なるセグメンテーションを上記一組の予測フィルタ係数に対して有することを表示する第４の値の第２の表示単語とを発生し、
上記第２の表示単語が上記第３の値を有する場合、上記一つの時間的等価信号ブロックだけに対して上記第２のセグメント情報を発生し、
上記第２の表示単語が上記第４の値を有する場合、上記各時間的等価信号ブロックに対して上記第２のセグメント情報を発生することに適合され、
上記組み合わせ手段は、更に、上記第２の表示単語を上記複合情報信号と組み合わすことに適合される請求項３記載の装置。
【請求項７】
上記変換手段は、上記時間的等価信号ブロックが全て同じセグメンテーションを上記確率表に対して有することを表示する第５の値の第３の表示単語と、
上記時間的等価信号ブロックが夫々異なるセグメンテーションを上記確率表に対して有することを表示する第６の値の第３の表示単語とを発生し、
上記第３の表示単語が上記第５の値を有する場合、上記一つの時間的等価信号ブロックだけに対して上記第１のセグメント情報を発生し、
上記第３の表示単語が上記第６の値を有する場合、上記各時間的等価信号ブロックに対して上記第１のセグメント情報を発生することに適合され、
上記組み合わせ手段は、更に、上記第３の表示単語を上記複合情報信号と組み合わすことに適合される請求項２記載の装置。
【請求項８】
上記変換手段は、上記確率表に対する上記マッピング情報が上記一組の予測フィルタ係数に対する上記マッピング情報と異なることを表示する第７の値の第４の表示単語と、
上記確率表に対する上記マッピング情報が上記一組の予測フィルタ係数に対する上記マッピング情報と同じであることを表示する第８の値の第４の表示単語とを発生し、
上記第１の表示単語が上記第８の値を有する場合、上記第１又は上記第２のマッピング情報のうち一方だけを供給すことに適合され、
上記組み合わせ手段は、上記第４の表示単語が上記第８の値を有する場合、上記第４の表示単語及び上記第１のマッピング情報又は上記第２のマッピング情報のうち一方だけを上記複合情報信号に組み合わすことに適合される請求項３記載の装置。
【請求項９】
上記変換手段は、上記時間的等価信号ブロックが全て同じマッピング情報を上記一組の予測フィルタ係数に対して有することを表示する第９の値の第５の表示単語と、
上記時間的等価信号ブロックが夫々異なるマッピング情報を上記一組の予測フィルタ係数に対して有することを表示する第１０の値の第５の表示単語とを発生し、
上記第５の表示単語が上記第９の値を有する場合。上記一つの時間的等価信号ブロックだけに対して上記第２のマッピング情報を発生し、
上記第５の表示単語が上記第１０の値を有する場合、上記各時間的等価信号ブロックだけに対して上記第２のマッピング情報を発生することに適合され、
上記組み合わせ手段は、更に、上記第５の表示単語を上記複合情報信号と組み合わすことに適合される請求項３記載の装置。
【請求項１０】
上記変換手段は、更に、上記チャネル信号の上記時間的等価信号ブロック中の上記セグメント数に関する情報を数字の符号に変換するよう適合され、
上記組み合わせ手段は、更に、上記数字の符号を上記複合情報信号に組み合わすよう適合される請求項２又は３記載の装置。
【請求項１１】
上記数字の符号は、
【表１】
0004482237.tif 000020
を満たし、このときＳは上記チャネル信号の上記時間的等価信号ブロック中のセグメント数である請求項１０記載の装置。
【請求項１２】
上記予測フィルタ係数の第１の組は、上記第１のＰのセグメントに割り当てられ、上記第２のマッピング情報は上記第１の予測フィルタ係数を上記Ｐのセグメントの上記第１のセグメントにマッピングするマッピング情報を有さず、
（ａ）上記第２のマッピング情報中の上記第１のビットは上記第２のセグメントに対する上記予測フィルタ係数の組が上記予測フィルタ係数の第１の組か上記フィルタ係数の第２の組かを表示し、
（ｂ１）上記予測フィルタ係数の第１の組が上記第２のセグメントに対する上記フィルタ係数の組でもある場合、上記第２のマッピング情報中の上記第２のビットは上記第３のセグメントに対する上記予測フィルタ係数の組が上記予測フィルタ係数の第１の組か上記フィルタ係数の第２の組かを示し、
（ｂ２）上記予測フィルタ係数の第２組が上記第２のセグメントに対する上記フィルタ係数の組である場合、上記第２のマッピング情報中の後続する２つのビットは上記第３のセグメントに対する上記予測フィルタ係数の組が上記予測フィルタ係数の第１の組、上記フィルタ係数の第２の組、或いは、上記フィルタ係数の第３の組かを示し、
（ｃ１）上記予測フィルタ係数の第１の組が上記フィルタ係数の第２及び上記第３のセグメントに対する上記フィルタ係数の組である場合、上記第２のマッピング情報中の上記第３のビットは上記第４のセグメントに対する上記予測フィルタ係数の組が上記予測フィルタ係数の第１の組か上記フィルタ係数の第２の組かを示し、
（ｃ２）上記予測フィルタ係数の第１の組が上記第２のセグメントに対する上記フィルタ係数の組であり、上記予測フィルタ係数の第２の組が上記第３のセグメントに対する上記フィルタ係数の組である場合、上記第２のマッピング情報中の上記第３及び第４のビットは上記第４のセグメントに対する上記予測フィルタ係数の組が上記第１の組、上記第２の組、或いは、上記第３の組かを示し、
（ｃ３）上記予測フィルタ係数の第２の組が上記第２のセグメントに対する上記フィルタ係数の組であり、上記予測フィルタ係数の第１の組又は上記フィルタ係数の第２の組が上記第３のセグメントに対する上記フィルタ係数の組である場合、上記第２のマッピング情報中の上記第４及び第５のビットは上記第４のセグメントに対する上記予測フィルタ係数の組が上記第１の組、上記第２の組、或いは、上記第３の組かを示し、
（ｃ４）上記予測フィルタ係数の第２の組が上記第２のセグメントに対する上記フィルタ係数の組であり、上記予測フィルタ係数の第３の組が上記第３のセグメントに対する上記フィルタ係数の組である場合、上記第２のマッピング情報中の上記第４及び第５のビットは上記第４のセグメントに対する上記予測フィルタ係数の組が上記第１の組、上記第２の組、上記第３の組、或いは、第４の組かを表示する請求項３記載の装置。
【請求項１３】
上記第１の確率表は、上記第１のＭのセグメントに割り当てられ、上記第１のマッピング情報は上記第１の確率表を上記Ｍのセグメントの上記第１のセグメントにマッピングするマッピング情報を有さず、
（ａ）上記第１のマッピング情報中の上記第１のビットは上記第２のセグメントに対する上記確率表の組が上記第１の確率表か上記第２の確率表かを表示し、
（ｂ１）上記第１の確率表が上記第２のセグメントに対する上記確率表でもある場合、上記第１のマッピング情報中の上記第２のビットは上記第３のセグメントに対する上記確率表の組が上記第１の確率表か第２の確率表かを表示し、
（ｂ２）上記第２の確率表が上記第２のセグメントに対する上記確率表である場合、上記第１のマッピング情報中の後続する２つのビットは上記第３のセグメントに対する上記確率表が上記第１の確率表、上記第２の確率表、或いは、第３の確率表かを表示し、
（ｃ１）上記第１の確率表が上記第２及び上記第３のセグメントに対する上記確率表である場合、上記第１のマッピング情報中の上記第３のビットは上記第４のセグメントに対する上記確率表が上記第１の確率表か上記第２の確率表かを表示し、
（ｃ２）上記第１の確率表が上記第２のセグメントに対する上記確率表であり、上記第２の確率表が上記第３のセグメントに対する上記確率表である場合、上記第１のマッピング情報中の上記第３及び第４のビットは上記第４のセグメントに対する上記確率表が上記第１の確率表、上記第２の確率表、或いは、上記第３の確率表かを表示し、
（ｃ３）上記第２の確率表が上記第２のセグメントに対する上記確率表であり、上記第１の確率表又は上記第２の確率表が上記第３のセグメントに対する上記確率表である場合、上記第１のマッピング情報中の上記第４及び第５のビットは上記第４のセグメントに対する上記確率表が上記第１の確率表、上記第２の確率表、或いは、上記第３の確率表かを表示し、
（ｃ４）上記第２の確率表が上記第２のセグメントに対する上記確率表であり、上記第３の確率表が上記第３のセグメントに対する上記確率表である場合、上記第１のマッピング情報中の上記第４及び第５のビットは上記第４のセグメントに対する上記確率表が上記第１の確率表、上記第２の確率表、上記第３の確率表、或いは、第４の確率表かを表示する請求項２記載の装置。
【請求項１４】
上記出力手段は、上記複合情報信号を記録担体に書込む書き込み手段を有することを特徴とする請求項１乃至１３のうちいずれか一項記載の装置。
【請求項１５】
上記出力手段は更に、上記複合情報信号を上記記録担体に書込む前に上記複合情報信号に対してチャネルのエンコード段階及び／又は誤り訂正エンコード段階を行うために、チャネルのエンコード及び／又は誤り訂正エンコード手段を有することを特徴とする請求項１４記載の装置。
【請求項１６】
ディジタルオーディオ信号のようなディジタル情報信号を請求項１乃至１５のうちいずれか一項記載の装置中でエンコードする方法。
【請求項１７】
更に、上記複合情報信号を記録担体に書込む段階を有する請求項１６記載の方法。
【請求項１８】
請求項１乃至１５のうちいずれか一項記載の装置によって発生された上記複合情報信号をトラック上に有する記録担体。
【請求項１９】
ｎが１よりも大きい整数であるｎチャネル・ディジタルオーディオ信号のようなｎチャネル・ディジタル情報信号のエンコードされたデータを有するエンコードされた複合情報信号、及び、上記エンコードされた情報信号と関連するサイド情報を復号化する装置であって、
複合情報信号を受信する入力手段と、
上記複合情報信号から上記エンコードされたデータ情報及び上記サイド情報を引き出す引き出し手段と、
各チャネル信号に対する一組の確率値に応答してｎチャネル信号を得るよう上記エンコードされたデータ情報を復号化する復号化手段と、
上記サイド情報から得られる予測フィルタ係数であり、上記チャネルに対して一つの組が当てられる上記ｎ組の予測フィルタ係数に応答して上記ｎチャネル・ディジタルオーディオ信号の上記各チャネル信号に対して予測フィルタリング行い、上記各チャネル信号から予測フィルタ処理されたチャネル信号を得る予測フィルタ手段と、
対応する上記予測フィルタ処理されたチャネル信号、及び、対応する確率表に応答して上記各チャネル信号に対して一つ当てられるｎ組の確率値を発生し、上記ｎ個の確率表は上記サイド情報から得られ上記各チャネル信号に一つに当てられる確率値発生手段と、
ｍは１≦ｍ≦ｎを満たし、ｐは１≦ｐ≦ｎを満たす整数であり、上記第１のマッピング情報及び上記ｍ組の予測フィルタ係数を上記各チャネル信号に対して一組当てるよう再変換し、上記第２のマッピング情報及び上記ｐ個の確率表を上記各チャネル信号に対して一組当てるよう再変換する再変換手段と、
上記ｎチャネル信号を出力する出力手段とを有し、
上記引き出し手段は更に、第１のマッピング情報及び第２のマッピング情報、複数のｍ組の予測フィルタ係数、及び複数のｐ個の確率表を上記サイド情報から引き出すことに適合される装置。
【請求項２０】
ｎが１よりも大きい整数であるｎチャネル・ディジタルオーディオ信号のようなｎチャネル・ディジタル情報信号のエンコードされたデータを有するエンコードされた複合情報信号、及び、上記エンコードされた情報信号と関連するサイド情報を復号化する装置であって、
複合情報信号を受信する入力手段と、
上記複合情報信号から上記エンコードされたデータ情報及び上記サイド情報を引き出す引き出し手段と、
対応する組の確率値に応答して上記エンコードされたデータ情報をＭの信号部分に復号化し、上記各Ｍの信号部分に対して一つの上記確率値が当てられ、このとき
【外３】
0004482237.tif 000021
であり、ｓｐｉはｉ番目の上記チャネル信号の時間的等価信号ブロック中のセグメント数である復号化手段と、
対応する上記確率表に応答して上記各Ｍの信号部分に対して一つが当てられ、上記各信号部分に対して一つの上記Ｍ個の確率表上記サイド情報から得られる、Ｍ組の確率値を発生する確率値発生手段と、
ｍは１≦ｍ≦Ｍを満たす整数であり、上記サイド情報から第１のセグメント情報及び上記第１のマッピング情報及び複数のｍ個の確率表を引き出すことに適合された引き出し手段と、
上記第１のマッピング情報及び上記ｍ個の確率表を上記各信号部分に対して一つ当てるようＭ個の確率表に再変換し、上記ｎチャネル信号において時間的等価信号ブロックを得るよう上記第１のセグメント情報を上記ｎチャネル信号中の上記Ｍのセグメントの長さ及び位置に関する情報に再変換する再変換手段と、
上記ｎチャネル信号の上記時間的等価信号ブロックを出力する出力手段とを有する装置。
【請求項２１】
上記ｎチャネル・ディジタルオーディオ信号の上記各チャネル信号の時間的等価信号ブロックをセグメントに分割することで予測フィルタリングを行い、上記時間的等価信号ブロック中の全てのＰのセグメントにおいて上記チャネル信号の上記信号部分及び全ての上記ｎチャネル信号を予測フィルタリングし、上記各信号部分に対する一組の予測フィルタに応答して上記各Ｐの信号部分に対して予測フィルタ処理された信号部分が得られ、
このとき、
【外４】
0004482237.tif 000022
であり、ｓｆｉはｉ番目のチャネル信号の上記時間的等価信号ブロック中のセグメント数である、予測フィルタ手段と、
ｐは１≦ｐ≦Ｐを満たす整数であり、上記サイド情報から第２のセグメント情報及び上記第２のマッピング情報及びｐ組の予測フィルタ係数を引き出すことに適合された引き出し手段と、
上記第２のセグメント情報を上記ｎチャネル信号中の上記Ｍのセグメントの長さ及び位置に関する情報に再変換し、上記ｐ組の予測フィルタ係数を上記第２のマッピング情報を使用して上記各Ｐの信号部分に一つ再変換する再変換手段とを有する請求項２０記載の装置。
【請求項２２】
上記引き出し手段は、上記サイド情報から第１の表示単語を引き出すことに適合され、
上記第１の表示単語が第１の値の場合、上記確率表に対する上記時間的等価信号ブロックの上記セグメンテーションは上記予測フィルタ係数に対する上記時間的等価信号ブロックのセグメンテーションと異なることを示し、
上記第１の表示単語が第２の値の場合、上記確率表に対する上記時間的等価信号ブロックの上記セグメンテーションは上記予測フィルタ係数に対する上記時間的等価信号ブロックのセグメンテーションと同じであることを示し、
上記第１の表示単語が上記第２の値の場合、上記サイド情報から一つのセグメント情報だけを引き出し、
上記再変換手段は更に、上記第１の表示単語が上記第２の値を有する場合に上記第１及び上記第２のセグメント情報を得るよう上記セグメント情報を複写することに適合される請求項２１記載の装置。
【請求項２３】
上記引き出し手段は、上記サイド情報から第２の表示単語を引き出すことに適合され、
上記第２の表示単語が上記第３の値の場合、上記時間的等価信号ブロックは全て同じセグメンテーションを上記予測フィルタ係数に対して有し、
上記第２の表示単語が上記第４の値の場合、上記時間的等価信号ブロックは夫々上記予測フィルタ係数に対して異なるセグメンテーションを有し、
上記第２の表示単語が上記第３の値を有する場合、上記サイド情報から上記一つの時間的等価信号ブロックに対してだけ上記第２のセグメント情報を引き出し、
上記第２の表示単語が上記第４の値を有する場合、上記サイド情報から上記各時間的等価信号ブロックに対して上記第２のセグメント情報を引き出すよう適合され、
上記再変換手段は更に、上記第２の表示単語が上記第３の値を有する場合、上記全てのｎチャネル信号の上記時間的等価信号ブロックのＰのセグメントを得るよう上記第２のセグメント情報ｎ−１回複写するよう適合される請求項２１記載の装置。
【請求項２４】
上記引き出し手段は、上記サイド情報から第３の表示単語を引き出すことに適合され、
上記第３の表示単語が上記第５の値のとき、上記時間的等価信号ブロックは全て同じセグメンテーションを上記確率表に対して有し、
上記第３の表示単語が上記第６の値のとき、上記時間的等価信号ブロックは夫々上記確率表に対して異なるセグメンテーションを有し、
上記第３の表示単語が上記第５の値を有する場合、上記サイド情報から上記一つの時間的等価信号ブロックに対してだけ上記第１のセグメント情報を引き出し、
上記第３の表示単語が上記第６の値を有する場合、上記サイド情報から上記各時間的等価信号ブロックに対して上記第１のセグメント情報を引き出すよう適合され、
上記再変換手段は更に、上記第３の表示単語が上記第５の値を有する場合、上記全てのｎチャネル信号の上記時間的等価信号ブロックのＭのセグメントを得るよう上記一つの時間的等価信号ブロックに対して上記第１のセグメント情報ｎ−１回複写するよう適合される請求項２１記載の装置。
【請求項２５】
上記引き出し手段は、上記サイド情報から第４の表示単語を引き出すことに適合され、
上記第４の表示単語が第７の値の場合、上記確率表に対する上記マッピング情報は上記予測フィルタ係数に対する上記マッピング情報と異なることを示し、
上記第４の表示単語が第８の値の場合、上記確率表に対する上記マッピング情報は上記予測フィルタ係数に対する上記マッピング情報と同じであることを示し、
上記第４の表示単語が上記第８の値の場合、上記サイド情報から一つのマッピング情報だけを引き出し、
上記再変換手段は更に、上記第４の表示単語が上記第８の値を有する場合に引き出された上記マッピング情報を複写することに適合される請求項２１記載の装置。
【請求項２６】
上記引き出し手段は、上記サイド情報から第５の表示単語を引き出すことに適合され、
上記第５の表示単語が上記第９の値の場合、上記時間的等価信号ブロックは全て同じマッピング情報を上記予測フィルタ係数に対して有し、
上記第５の表示単語が上記第１０の値の場合、上記時間的等価信号ブロックは夫々異なるマッピング情報を上記予測フィルタ係数に対して有し、
上記第５の表示単語が上記第９の値を有する場合、上記一つの時間的等価信号ブロックに対してだけ上記第２のマッピング情報を引き出し、
上記第５の表示単語が上記第１０の値を有する場合、上記各時間的等価信号ブロックに対して上記第２のマッピング情報を引き出すよう適合される請求項２１記載の装置。
【請求項２７】
上記引き出し手段は更に、上記時間的等価信号ブロック対する数字の符号を上記サイド情報から引き出すために情報を変換するよう適合され、
上記数字の符号は上記時間的等価信号ブロック中のセグメント数を表わす請求項２０又は２１記載の装置。
【請求項２８】
上記数字の符号は、
【表２】
0004482237.tif 000023
を満たし、このときＳはチャネル信号の時間的等価信号ブロック中のセグメント数である請求項２７記載の装置。
【請求項２９】
上記引き出し手段は、上記サイド情報から複数の組の予測フィルタ係数を引き出し、上記第２のマッピング情報からビットのアレイを引き出すために適合され、上記予測係数の第１の組を上記第１のＰのセグメントに割り当てる割当手段を有し、
（ａ）上記割当手段は、第１の２進値である上記ビットのアレイの第１のビットに応答して上記予測フィルタ係数の第１の組を上記第２のセグメントに割り当て、上記第２の２進値である第１のビットに応答して上記予測フィルタ係数の第２の組を上記第２のセグメントに割り当てるよう適合され、
（ｂ１）上記予測係数の第１の組が上記第２のセグメントに対する上記フィルタ係数の組でもある場合、上記割当手段は、更に、第１の２進値である上記ビットのアレイの上記第２のビットに応答して上記予測フィルタ係数の第１の組を上記第３のセグメントに割り当て、第２の２進値である上記第２のビットに応答して上記予測フィルタ係数の第２の組を上記第３のセグメントに割り当てるために適合され、
（ｂ２）上記予測係数の第２の組が上記第２のセグメントに対する上記フィルタ係数の組である場合、上記割当手段は、更に、上記ビットのアレイの後続する２ビット値に応答して上記予測フィルタ係数の第１の組、上記第２の組、或いは、第３の組のいずれかを上記第３のセグメントに割り当てるために適合され、
（ｃ１）上記予測係数の第１の組が上記第２及び上記第３のセグメントに対する上記フィルタ係数の組である場合、上記割当手段は、更に、上記ビットのアレイの上記第３のビット値に応答して上記予測フィルタ係数の第１の組、又は、上記フィルタ係数の第２の組のいずれかを上記第４のセグメントに割り当てるために適合され、
（ｃ２）上記予測フィルタ係数の第１の組が上記第２のセグメントに対する上記フィルタ係数の組であり、上記予測フィルタ係数の第２の組は上記第３のセグメントに対する上記フィルタ係数の組である場合、上記割当手段は、更に、上記ビットのアレイの上記第３及び上記第４のビット値に応答して上記予測フィルタ係数の第１の組、上記フィルタ係数の第２の組、或いは、上記フィルタ係数の第３の組のいずれかを上記第４のセグメントに割り当てるために適合され、
（ｃ３）上記予測フィルタ係数の第２の組が上記第２のセグメントに対する上記フィルタ係数の組であり、上記予測フィルタ係数の第１の組又は上記フィルタ係数の第２の組が上記第３のセグメントに対する上記フィルタ係数の組である場合、上記割当手段は、上記ビットのアレイの上記第４及び上記第５のビットに応答して上記予測フィルタ係数の第１の組、上記フィルタ係数の第２の組、或いは、上記フィルタ係数の第３の組のいずれかを上記第４のセグメントに割り当てるために適合され、
（ｃ４）上記予測フィルタ係数の第２の組が上記第２のセグメントに対する上記フィルタ係数の組であり、上記予測フィルタ係数の第３の組が上記第３のセグメントに対する上記フィルタ係数の組である場合、上記割当手段は、上記ビットのアレイの上記第４及び上記第５のビットに応答して上記予測フィルタ係数の第１の組、上記フィルタ係数の第２の組、上記フィルタ係数の第３の組、或いは、上記フィルタ係数第４の組のいずれかを上記第４のセグメントに割り当てるために適合される請求項２１記載の装置。
【請求項３０】
上記引き出し手段は、上記サイド情報から複数の組の確率表を引き出し、上記第１のマッピング情報からビットのアレイを引き出すために適合され、上記第１の確率表を上記第１のＭのセグメントに割り当てる割当手段を有し、
（ａ）上記割当手段は、第１の２進値である上記ビットのアレイの第１のビットに応答して上記第１の確率表を上記第２のセグメントを割り当て、第２の２進値である第１のビットに応答して第２の確率表を上記第２のセグメントに割り当て、
（ｂ１）上記第１の確率表が上記第２のセグメントに対する上記確率表でもある場合、上記割当手段は、更に、第１の２進値である上記ビットのアレイの上記第２のビットに応答して上記第１の確率表を上記第３のセグメントに割り当て、第２の２進値である上記第２のビットに応答して上記第２の確率表を上記第３のセグメントに割り当てるために適合され、
（ｂ２）上記第２の確率表が上記第２のセグメントに対する上記確率表である場合、上記割当手段は、更に、上記ビットのアレイの後続する２ビット値に応答して上記第１、上記第２、或いは、第３の確率表のいずれかを上記第３のセグメントに割り当てるために適合され、
（ｃ１）上記第１の確率表が上記第２及び上記第３のセグメントに対する上記確率表である場合、上記割当手段は、更に、上記ビットのアレイの第３のビット値に応答して上記第１、又は、上記第２の確率表のいずれかを上記第４のセグメントに割り当てるために適合され、
（ｃ２）上記第１の確率表が上記第２のセグメントに対する上記確率表であり、上記第２の確率表が上記第３のセグメントに対する上記確率表である場合、上記割当手段は、更に、上記ビットのアレイの第３及び第４のビット値に応答して上記第１の、上記第２の、或いは、上記第３の確率表のいずれかを上記第４のセグメントに割り当てるために適合され、
（ｃ３）上記第２の確率表が上記第２のセグメントに対する上記確率表であり、上記第１又は上記第２の確率表は上記第３のセグメントに対する上記確率表である場合、上記割当手段は、上記ビットのアレイの上記第４及び上記第５のビット値に応答して上記第１の、上記第２の、或いは、上記第３の確率表のいずれかを上記第４のセグメントに割り当てるために適合され、
（ｃ４）上記第２の確率表が上記第２のセグメントに対する上記確率表であり、上記第３の確率表が上記第３のセグメントに対する上記確率表である場合、上記割当手段は、上記ビットのアレイの上記第４及び上記第５のビット値に応答して上記第１の、上記第２の、上記第３の、或いは、上記第４の確率表のいずれかを上記第４のセグメントに割り当てるために適合される請求項２０記載の装置。
【請求項３１】
上記入力手段は、上記複合情報信号を記録担体から読み取る読取り手段を有することを特徴とする請求項１９乃至３０のうちいずれか一項記載の装置。
【請求項３２】
上記入力手段は、更に、上記複合情報信号を上記引き出し手段に供給する前に上記複合情報信号に対してチャネル復号化段階及び／又は誤り訂正段階を行うチャネル復号化及び／又誤り訂正手段を有することを特徴とする請求項３１記載の装置。
【請求項３３】
上記エンコード手段は、上記ｎチャネル情報信号の上記各チャネル信号の時間的等価信号ブロックをエンコードし、上記各信号ブロックに対する確率値に応答して上記エンコードされた時間的等価信号ブロックを上記各信号ブロックに対して得るよう適合され、
上記予測フィルタ手段は、上記各時間的等価信号ブロックに対して一つの上記ｎ組の予測フィルタ係数に応答して上記各時間的等価信号ブロックに対して予測フィルタリングを行うために適合され、
上記確率表決定手段は、上記各時間的等価信号ブロックに対して一つの上記ｎ個の確率表を生成するために適合される請求項１記載の装置。
【請求項３４】
上記変換手段は、上記確率表に対する上記マッピング情報が上記予測フィルタ係数に対するマッピング情報と異なることを示す第１の値の第１の表示単語と、
上記確率表に対する上記マッピング情報が上記予測フィルタ係数に対するマッピング情報と同じであることを示す第２の値の第１の表示単語とを発生し、
上記第１の表示単語が上記第２の値を有する場合だけ、上記第１又は上記第２のマッピング情報を供給し、
上記組み合わせ手段は、上記第１の表示単語が上記第２の値を有する場合、上記第１の表示単語及び上記第１のマッピング情報又は上記第２のマッピング情報を上記複合情報信号中にだけを組み合わす請求項３３記載の装置。
【請求項３５】
上記変換手段は、上記時間的等価信号ブロックが全て同じマッピング情報を上記一組の予測フィルタ係数に対して有することを表示する第３の値の第２の表示単語と、
上記時間的等価信号ブロックが夫々異なるマッピング情報を上記一組の予測フィルタ係数に対して有することを表示する第４の値の第２の表示単語とを発生することに適合され、
上記第２の表示単語が上記第３の値を有する場合、上記一つの時間的等価信号ブロックに対してだけ上記第２のマッピング情報を発生し、
上記第２の表示単語が上記第４の値を有する場合、上記各時間的等価信号ブロックに対して上記第２のマッピング情報を発生することに適合され、
上記組み合わせ手段は、更に、上記第２の表示単語を上記複合情報信号と組み合わすことに適合される請求項３３記載の装置。
【請求項３６】
上記第１の予測フィルタ係数は、上記第１のｎの時間的等価信号ブロックに割り当てられ、上記第２のマッピング情報は上記第１の予測フィルタ係数を上記第１の時間的等価信号ブロックのｎの時間的等価信号ブロックにマッピングするマッピング情報を有さず、
（ａ）上記第２のマッピング情報中の上記第１のビットは、上記第２の時間的等価信号ブロックに対する上記予測フィルタ係数の組が上記予測フィルタ係数の第１の組か上記予測フィルタ係数の第２の組かを示し、
（ｂ１）上記予測フィルタ係数の第１の組が上記第２の時間的等価信号ブロックに対する上記フィルタ係数の組でもある場合、上記第２のマッピング情報中の上記第２のビットは上記第３の時間的等価信号ブロックに対する上記予測フィルタ係数の組が上記予測フィルタ係数の第１の組か上記予測フィルタ係数の第２の組かを示し、
（ｂ２）上記予測フィルタ係数の第２の組が上記第２の時間的等価信号ブロックに対する上記フィルタ係数の組である場合、上記第２のマッピング情報中の後続する２つのビットは上記第３の時間的等価信号ブロックに対する上記予測フィルタ係数の組が上記予測フィルタ係数の上記第１の組、上記予測フィルタ係数の第２の組、或いは、上記予測フィルタ係数の第３の組かを示し、
（ｃ１）上記予測フィルタ係数の第１の組が上記第２及び上記第３の時間的等価信号ブロックに対する上記フィルタ係数の組である場合、上記第２のマッピング情報中の上記第３のビットは上記第４の時間的等価信号ブロックに対する上記予測フィルタ係数の組が上記予測フィルタ係数の第１の組か上記予測フィルタ係数の第２の組かを示し、
（ｃ２）上記予測フィルタ係数の第１の組が上記第２の時間的等価信号ブロックに対する上記フィルタ係数の組であり、上記予測フィルタ係数の第２の組が上記第３の時間的等価信号ブロックに対する上記フィルタ係数の組である場合、上記第２のマッピング情報中の上記第３及び第４のビットは上記第４の時間的等価信号ブロックに対する上記予測フィルタ係数の組が上記第１の組、上記第２の組、或いは、上記第３の組かを示し、
（ｃ３）上記予測フィルタ係数の第２の組が上記第２の時間的等価信号ブロックに対する上記フィルタ係数の組であり、上記第１又は上記第２の組の予測フィルタ係数が上記第３の時間的等価信号ブロックに対する上記フィルタ係数の組である場合、上記第２のマッピング情報中の上記第４及び第５のビットは上記第４の時間的等価信号ブロックに対する上記予測フィルタ係数の組が上記第１の組、上記第２の組、或いは、上記第３の組かを示し、
（ｃ４）上記予測フィルタ係数の第２の組が上記第２の時間的等価信号ブロックに対する上記フィルタ係数の組であり、上記予測フィルタ係数の第３の組が上記第３の時間的等価信号ブロックに対する上記フィルタ係数の組である場合、上記第２のマッピング情報中の上記第４及び第５のビットは上記第４の時間的等価信号ブロックに対する上記予測フィルタ係数の組が上記第１の組、上記第２の組、上記第３の組、或いは、第４の組かを示す、請求項３３記載の装置。
【請求項３７】
上記第１の確率表は、上記第１の時間的等価信号ブロックに割り当てられ、上記第１のマッピング情報は上記第１の確率表を上記時間的等価信号ブロックの上記第１の時間的等価信号ブロックにマッピングするマッピング情報を有さず、
（ａ）上記第１のマッピング情報中の上記第１のビットは上記第２の時間的等価信号ブロックに対する上記確率表が上記第１の確率表か上記第２の確率表かを示し、
（ｂ１）上記第１の確率表が上記第２の時間的等価信号ブロックに対する上記確率表でもある場合、上記第１のマッピング情報中の上記第２のビットは上記第３の時間的等価信号ブロックに対する上記確率表が上記第１の確率表か上記第２の確率表かを示し、
（ｂ２）上記第２の組の確率表が上記第２の時間的等価信号ブロックに対する上記確率表である場合、上記第２のマッピング情報中の後続する２つのビットは上記第３の時間的等価信号ブロックに対する上記確率表が上記第１の確率表、上記第２の確率表、或いは、第３の確率表かを示し、
（ｃ１）上記第１の確率表が上記第２及び上記第３の時間的等価信号ブロックに対する上記確率表である場合、上記第１のマッピング情報中の上記第３のビットは上記第４の時間的等価信号ブロックに対する上記確率表が上記第１の確率表か上記第２の確率表かを示し、
（ｃ２）上記第１の確率表が上記第２の時間的等価信号ブロックに対する上記確率表であり、上記第２の確率表が上記第３の時間的等価信号ブロックに対する上記確率表である場合、上記第１のマッピング情報中の上記第３及び第４のビットは上記第４の時間的等価信号ブロックに対する上記確率表が上記第１の確率表、上記第２の確率表、或いは、上記第３の確率表かを示し、
（ｃ３）上記第２の確率表が上記第２の時間的等価信号ブロックに対する上記確率表であり、上記第１又は上記第２の確率表が上記第３の時間的等価信号ブロックに対する上記確率表である場合、上記第１のマッピング情報中の上記第４及び第５のビットは上記第４の時間的等価信号ブロックに対する上記確率表が上記第１の確率表、上記第２の確率表、或いは、上記第３の確率表かを示し、
（ｃ４）上記第２の確率表が上記第２の時間的等価信号ブロックに対する上記確率表であり、上記第３の確率表が上記第３の時間的等価信号ブロックに対する上記確率表である場合、上記第１のマッピング情報中の上記第４及び第５のビットは上記第４の時間的等価信号ブロックに対する上記確率表が上記第１の確率表、上記第２の確率表、上記第３の確率表、或いは、第４の組かを示す、請求項３３記載の装置。
【請求項３８】
上記復号化手段は、上記各ｎチャネル信号に１つずづ上記エンコードされたデータ情報をｎの時間的等価信号ブロックに復号化するために適合され、
上記引き出し手段は、上記サイド情報から第１の表示単語を引き出すよう適合され、
上記第１の表示単語が第１の値の場合、上記確率表に対する上記マッピング情報が上記予測フィルタ係数に対する上記マッピング情報と異なることを示し、
上記第１の表示単語が第２の値の場合、上記確率表に対する上記マッピング情報が上記予測フィルタ係数に対する上記マッピング情報と同じであることを示し、
上記第１の表示単語が上記第２の値の場合、上記サイド情報から一つのマッピング情報だけを引き出し、
上記再変換手段は、更に、上記第１の表示単語が上記第８の値を有する場合に引き出された上記マッピング情報を複写するよう適合される請求項１９記載の装置。
【請求項３９】
上記復号化手段は、上記各ｎチャネル信号に１つずづ上記エンコードされたデータ情報をｎの時間的等価信号ブロックに復号化するために適合され、
上記引き出し手段は、上記サイド情報から第２の表示単語を引き出すよう適合され、
上記第２の表示単語が第３の値の場合、上記時間的等価信号ブロックは全て同じ上記マッピング情報を上記予測フィルタ係数に対して有することを示し、
上記第２の表示単語が第４の値の場合、上記時間的等価信号ブロックは異なる上記マッピング情報を上記予測フィルタ係数に対して有することを示し、
上記第５の表示単語が上記第３の値の場合、上記時間的等価信号ブロック一つに対してだけ第２のマッピング情報を引き出し、
上記第５の表示単語が上記第４の値の場合、上記各時間的等価信号ブロックに対して上記第２のマッピング情報を引き出すよう適合される請求項１９記載の装置。
【請求項４０】
上記復号化手段は、上記各ｎチャネル信号に１つずづ上記エンコードされたデータ情報をｎの時間的等価信号ブロックに復号化するために適合され、
上記引き出し手段は、上記サイド情報から予測フィルタ係数の複数の組を引き出し、上記第２のマッピング情報からビットのアレイを引き出すために適合され、
上記予測係数の第１の組を上記第１のｎの時間的等価信号ブロックに割り当てる割当手段を有し、
（ａ）上記割当手段は、第１の２進値である上記ビットのアレイの上記第１のビットに応答して上記予測フィルタ係数の第１の組を上記第２の時間的等価信号ブロックに割り当て、上記第２の２進値である上記第１のビットに応答して上記予測フィルタ係数の第２の組を上記第２の時間的等価信号ブロックに割り当てるよう適合され、
（ｂ１）上記予測係数の第１の組が上記第２の時間的等価信号ブロックに対する上記フィルタ係数の組でもある場合、上記割当手段は、更に、第１の２進値である上記ビットのアレイの上記第２のビットに応答して上記予測フィルタ係数の第１の組を上記第３の時間的等価信号ブロックに割り当て、第２の２進値である上記第２のビットに応答して上記予測フィルタ係数の第２の組を上記第３の時間的等価信号ブロックに割り当てるために適合され、
（ｂ２）上記予測係数の第２の組が上記第２の時間的等価信号ブロックに対する上記フィルタ係数の組でもある場合、上記割当手段は、更に、上記ビットのアレイの後続する２ビット値に応答して上記予測フィルタ係数の第１の組、上記予測フィルタ係数の第２の組、或いは、上記予測フィルタ係数の第３の組のいずれかを上記第３の時間的等価信号ブロックに割り当てるために適合され、
（ｃ１）上記予測係数の第１の組が上記第２及び上記第３の時間的等価信号ブロックに対する上記フィルタ係数の組である場合、上記割当手段は、更に、上記ビットのアレイの上記第３のビット値に応答して上記予測フィルタ係数の第１の組、又は、上記予測フィルタ係数の第２の組のいずれかを上記第４の時間的等価信号ブロックに割り当てるために適合され、
（ｃ２）上記予測フィルタ係数の第１の組が上記第２の時間的等価信号ブロックに対する上記フィルタ係数の組であり、上記予測フィルタ係数の第２の組は上記第３の時間的等価信号ブロックに対する上記フィルタ係数の組である場合、上記割当手段は、更に、上記ビットのアレイの上記第３及び上記第４の値に応答して上記予測フィルタ係数の第１の組、上記予測フィルタ係数の第２の組、或いは、上記予測フィルタ係数の第３の組のいずれかを上記第４の時間的等価信号ブロックに割り当てるために適合され、
（ｃ３）上記予測フィルタ係数の第２の組が上記第２の時間的等価信号ブロックに対する上記フィルタ係数の組であり、上記予測フィルタ係数の第１の組又は上記予測フィルタ係数の第２の組が上記第３の時間的等価信号ブロックに対する上記フィルタ係数の組である場合、上記割当手段は、上記ビットのアレイの上記第４及び上記第５のビットに応答して上記予測フィルタ係数の第１の組、上記予測フィルタ係数の第２の組、或いは、上記予測フィルタ係数の第３の組のいずれかを上記第４の時間的等価信号ブロックに割り当てるために適合され、
（ｃ４）上記予測フィルタ係数の第２の組が上記第２の時間的等価信号ブロックに対する上記フィルタ係数の組であり、上記予測フィルタ係数の第３の組が上記第３の時間的等価信号ブロックに対する上記フィルタ係数の組である場合、上記割当手段は、上記ビットのアレイの上記第４及び上記第５のビットに応答して上記予測フィルタ係数の第１の組、上記予測フィルタ係数の第２の組、上記予測フィルタ係数の第３の組、或いは、上記予測フィルタ係数の第４の組のいずれかを上記第４の時間的等価信号ブロックに割り当てるために適合される請求項１９記載の装置。
【請求項４１】
上記復号化手段は、上記各ｎチャネル信号に１つずづ上記エンコードされたデータ情報をｎの時間的等価信号ブロックに復号化するために適合され、
上記引き出し手段は、上記サイド情報から予測フィルタ係数の複数の組を引き出し、上記第２のマッピング情報からビットのアレイを引き出すために適合され、
上記第１の確率表を上記第１のｎの時間的等価信号ブロックに割り当てる割当手段を有し、
（ａ）上記割当手段は、第１の２進値である上記ビットのアレイの上記第１のビットに応答して上記第１の確率表を上記第２の時間的等価信号ブロックを割り当て、上記第２の２進値である上記第１のビットに応答して上記第２の確率表を上記第２の時間的等価信号ブロックに割り当てるよう適合され、
（ｂ１）上記第１の確率表が上記第２の時間的等価信号ブロックに対する上記確率表でもある場合、上記割当手段は、更に、第１の２進値である上記ビットのアレイの上記第２のビットに応答して上記第１の確率表を上記第３の時間的等価信号ブロックに割り当て第２の２進値である上記第２のビットに応答して上記第２の確率表を上記第３の時間的等価信号ブロックに割り当てるために適合され、
（ｂ２）上記第２の確率表が上記第２の時間的等価信号ブロックに対する上記確率表である場合、上記割当手段は、更に、上記ビットのアレイの後続する２ビット値に応答して上記第１の、上記第２の、或いは、上記第３の確率表のいずれかを上記第３の時間的等価信号ブロックに割り当てるために適合され、
（ｃ１）上記第１の確率表が上記第２及び上記第３の時間的等価信号ブロックに対する上記確率表である場合、上記割当手段は、更に、上記ビットのアレイの上記第３のビット値に応答して上記第１の、又は、上記第２の確率表のいずれかを上記第４の時間的等価信号ブロックに割り当てるために適合され、
（ｃ２）上記第１の確率表が上記第２の時間的等価信号ブロックに対する上記確率表であり、上記第２の確率表が上記第３の時間的等価信号ブロックに対する上記確率表である場合、上記割当手段は、上記ビットのアレイの上記第３及び上記第４のビット値に応答して上記第１、上記第２、或いは、上記第３の確率表のいずれかを上記第４の時間的等価信号ブロックに割り当てるために適合され、
（ｃ３）上記第２の確率表が上記第２の時間的等価信号ブロックに対する上記確率表であり、上記第１又は上記第２の確率表は上記第３の時間的等価信号ブロックに対する上記確率表である場合、上記割当手段は、上記ビットのアレイの上記第４及び上記第５のビット値に応答して上記第１、上記第２、或いは、上記第３の確率表のいずれかを上記第４の時間的等価信号ブロックに割り当てるために適合され、
（ｃ４）上記第２の確率表が上記第２の時間的等価信号ブロックに対する上記確率表であり、上記第３の確率表が上記第３の時間的等価信号ブロックに対する上記確率表である場合、上記割当手段は、上記ビットのアレイの上記第４及び上記第５のビット値に応答して上記第１、上記第２、上記第３、或いは、上記第４の確率表のいずれかを上記第４の時間的等価信号ブロックに割り当てるために適合される請求項１９記載の装置。
【発明の詳細な説明】
【０００１】
本発明は、ディジタル情報信号の無損失エンコード及び無損失エンコード方法のための装置と、復号化する装置と、記録担体とに関する。
【０００２】
「スーパー・オーディオ・ＣＤ」（“Super  Audio  CD"（SACD））において、DSD信号はフレーミング、予測、及び、エントロピー符号化を使用して無損失に符号化される。効率的にエンコードされた信号以外に多数のパラメータ、即ち、予測フィルタ係数及び確率表を有するサイド情報もSACDに記憶されなくてはならない。サイド情報のために要求される記憶容量が小さいほど、全体的な符号化利得もよりよくなる。従って、符号化技術がサイド情報にも適用される。DSD信号の無損失エンコードの説明は、１９９７年９月２６−２９日にニューヨークにおけるAESの第１０３回会議において発表されたプレプリント４５６３（Ｉ−６）中のF.Bruekers他による論文“Improved  lossless  coding  of  1-bit  audio  signals”中で説明される。
【０００３】
本発明は、サイド情報を記憶するために使用されるべきビット数を節約するよう例えば、SACD中で使用され得る方法を提供することを目的とする。
【０００４】
以下の説明においてこれらの方法が説明される。
【０００５】
本発明の上記及び他の面は、以下の図面説明において更に説明される。
【０００６】
例えば、オーバーサンプルされたオーディオ信号の１ビットの無損失エンコード及び復号化の処理は、図１を用いて以下に簡単に説明し、同図は、図１ａにおいてエンコード装置の実施例を示し、図１ｂにおいて復号化装置の実施例を示す。図１ａの装置における無損失コーディングは、オーディオ信号の隔離された部分（フレーム）上で実施される。このようなフレームの典型的な長さは、３７６３２ビットである。入力信号Ｆの２つの可能なビット値‘１’及び‘０’は、夫々サンプル値＋１及び−１を表わす。予測フィルタｚ−１Ａ（ｚ）４のための係数の係数がフレーム毎にフィルタ係数発生ユニット１２中で例えば、自己相関方法によって決定される。フィルタ出力信号Ｚは予測されたビットＦｐの値を決定し、フィルタ出力信号Ｚの大きさは予測が正確である確率を示す。フィルタ出力信号Ｚが量子化器１０中で量子化される際、予測された入力信号Ｆｐが得られ、この入力信号Ｆｐは組み合わせユニット２中で実行され残留信号Ｅを生じる。予測が正確な場合、即ち、Ｆ＝Ｆｐの場合、残留信号ＥはＥ＝０に等しい。確率表ｐ（|.|）の内容は、Ｚの１つの可能な値に対してＥ＝０となる確率をｐ０が示すようフレーム毎に設計される。|Ｚ|の小さい値に対して正確な予測の確率は０．５に近く、|Ｚ|の大きい値に対して正確な予測の確率は１．０に近い。明らかに、予測が不正確な場合、即ちＦ≠Ｆｐ又はＥ＝１となる確率は、ｐ１＝１−ｐ０である。
【０００７】
フレーム（又は、後に説明するセグメント）のための確率表は、ユニット１３によって決定される。ユニット１３から供給されるこの確率表を用いて、ユニット８は信号Ｚである入力信号に応答して確率値Ｐ０を発生する。
【０００８】
図１ａの装置中の算術デコーダ（ＡＣＥｎｃ．）６は、符号（Ｄ）が少ないビットを要求するようＥのビットのシーケンスを符号化する。このためには、算術エンコーダは、信号Ｅのビットｎ、即ちＥ［ｎ］が特定の値を有する確率を使用する。ビットＥ［ｎ］＝０を符号化するためのビット数は、
【０００９】
【数１】
0004482237.tif 000002
によって表わされ、実際にはＰ０≧１／２であるためこのビット数は１ビット以上でない。ビットＥ［ｎ］＝１を符号化するためのビット数は、
【００１０】
【数２】
0004482237.tif 000003
によって表わされ、このビット数は１ビット未満でない。夫々の式中のＭは、算術エンコーダの最適でない挙動を表わすものであるが、実際には無視してもよい。
【００１１】
符号（Ｄ）において、正確な予測（Ｅ［ｎ］＝０）は１ビット未満で生じ、不正確な予測（Ｅ［ｎ］＝１）は１ビット以上で生じる。確率表は、平均で完全なフレームに対して、符号（Ｄ）のためのビット数が最小となるよう設計されている。
【００１２】
符号（Ｄ）以外にも係数発生ユニット１２によって発生された予測フィルタ４の係数と、確率表を決定するユニット１３によって発生された確率表の内容とがエンコーダからデコーダへ送信されなくてはならない。この目的のために、エンコード装置は、エンコーダ６の出力信号、並びに、発生ユニット１２及び１３からサイド情報を受信するマルチプレクサ装置１４を有する。サイド情報は、予測フィルタ係数及び確率表を有する。マルチプレクサユニット１４は、情報のシリアルデータストリームを記録担体のような送信媒体に供給する。
【００１３】
図１ｂの復号化装置において、エンコード処理の完全に逆の処理が実行され、無損失コーディングシステムを形成する。デマルチプレクサユニット２０は、データＤ及びサイド情報を有するシリアルデータストリームを受信する。このデマルチプレクサユニット２０は、そのデータストリームからデータＤを引き出し、このデータＤを算術デコーダ２２に供給する。算術デコーダ（ＡＣ  Ｄｅｃ．）は、信号Ｅの正確な値を引き出すために算術エンコーダに設けられたと同一の確率が設けられる。従って、デマルチプレクサユニットは、エンコーダで使用されたと同じ同じ予測フィルタ係数及び確率表を受信したシリアルデータストリームから引き出し、予測フィルタ係数を予測フィルタ２４に供給し確率表を確率値発生ユニット２６に供給する。
【００１４】
図１における回路構成は、情報の単一のシリアルデータストリームをエンコード／復号化するために設けられる。多重チャネル・ディジタルオーディオ信号のような多重チャネル情報信号をエンコード／復号化することは、図１を参照して上述した処理を図１の回路によって時分割多重で行う、若しくは、複数のこのような回路によって平行に行われ得る。別の解決策は、米国出願０９／２６８２５２（ＰＨＮ１６．８０５）に対応する国際特許出願ＩＢ９９／００３１３に開示される。
【００１５】
ここで、本発明によると、エンコード装置が量子化器Ｑ及び組み合わせユニット２を有しなくてもよいことに注意すべきである。この内容を説明する前の特許文書が参照される。
【００１６】
ＳＡＣＤにおいて１ビットのオーディオチャネルは、一定の長さのフレームに分割され、各フレーム毎にコーディングに対する最適な戦略が使用される。フレームは、隣接するフレームから独立して復号化され得る。従って、単一のフレーム内のデータ構造を説明する。
【００１７】
図２は、ディジタルステレオオーディオ信号の左側の信号成分及び右側の信号成分のような２つのチャネル信号の時間的等価フレームＢを示し、このとき左側の信号成分は．．．．．、Ｂ（ｌ，ｍ−１）、Ｂ（ｌ，ｍ）、Ｂ（ｌ，ｍ＋１）、．．．．．と示され、右側の信号成分は．．．．．、Ｂ（ｒ，ｍ−１）、Ｂ（ｒ，ｍ）、Ｂ（ｒ，ｍ＋１）、．．．．．と示される。フレームは以下に説明するようにセグメント化され得る。セグメント化されない場合、フレームは完全な形でエンコードされ、このとき完全なフレームに対して一組のフィルタ係数及び一つの確率表が含まれる。セグメント化された場合、フレーム中の各セグメントは夫々各自の一組のフィルタ係数及び確率表を有し得る。更に、フィルタ係数に対するフレーム中のセグメンテーションは、確率表に対するそれと同じである必要はない。例えば、図３は、セグメント化された２つのチャネル信号の２つの時間的等価フレームＢ（ｌ，ｍ）及びＢ（ｒ，ｍ）を示す図である。フレームＢ（ｌ，ｍ）は、３つの異なる予測フィルタリングをフレーム中で行うために３つのセグメントｆｓ（ｌ，１）、ｆｓ（ｌ，２）、及び、ｆｓ（ｌ，３）にセグメント化される。しかしながら、セグメントｆｓ（ｌ，１）及びｆｓ（ｌ，３）のような２つのセグメント中のフィルタリングが同じでもよいことに注意すべきである。更に、フレームＢ（ｌ，ｍ）は、これらのセグメントに対して２つの異なる確率表を有するために２つのセグメントｐｓ（ｌ，１）及びｐｓ（ｌ，２）にセグメント化される。
【００１８】
フレームＢ（ｒ，ｍ）は、３つの異なる予測フィルタリングをフレーム中で行うために３つのセグメントｆｓ（ｒ，１）、ｆｓ（ｒ，２）、及び、ｆｓ（ｒ，３）にセグメント化される。しかしながら、再び、セグメントｆｓ（ｒ，１）及びｆｓ（ｒ，３）のような２つのセグメント中のフィルタリングが同じでもよいことに注意すべきである。更に、フレームＢ（ｒ，ｍ）は、これらのセグメントに対して４つの異なる確率表を有するために４つのセグメントｐｓ（ｒ，１）、ｐｓ（ｒ，２）、ｐｓ（ｒ，３）、及び、ｐｓ（ｒ，４）にセグメント化される。再び、幾つかのセグメントは同じ確率表を有し得ることに注意すべきである。
【００１９】
異なるセグメントに対して同じ確率表を有する決定は、セグメント中の信号に対する信号分析を行った後に装置のユーザによって予め成され得る。或いは、装置がこの信号分析を行いそれに応答して決定してもよい。幾つかの状況では、２つのセグメントに対して行なわれた信号分析は、僅かにだけ異なる確率表を結果として生じてもよい。このような状況において、夫々のセグメントに対して同じ確率表を１つ有することが決定され得る。この１つの確率表は、２つのセグメントのために確立された２つの確率表のうちの一方に等しくてもよく、又は、夫々の表を平均化したものでもよい。同等の理由が様々なセグメントにおけるフィルタ係数の組に対して有効である。
【００２０】
要約すると、オーディオチャネル信号中のオーディオの小部分をエンコードするためには、ＳＡＣＤ中の符号化アルゴリズムは予測フィルタ（フィルタ）及び確率表（表）を夫々要求する。
【００２１】
符号化利得を改善するためには、異なるチャネル中の異なるフィルタを使用することが効率的となり得る。しかし、同じチャネル内で異なるフィルタを使用することも効率的となり得る。このため、セグメンテーションの概念が紹介される。チャネルは、セグメントに仕切られ、セグメント中では特定のフィルタが使用される。他のチャネルからのセグメントも含む幾つかのセグメントは、同じ又は異なるフィルタを使用してもよい。使用されたフィルタを保存する以外にも、セグメント（セグメンテーション）に関する情報及びどのセグメント（マッピング）中でそのフィルタが使用されたかに関する情報が記憶されなくてはならない。
【００２２】
表に関しても同じ考え方が適用できるが、セグメンテーション及びマッピングはフィルタに対するセグメンテーション及びマッピングと異なってもよい。フィルタ及び表夫々に対して等しいセグメンテーションの場合にこれが示される。マッピングにおいても同じ考え方が用いられる。フィルタに対するセグメンテーションが全てのチャネルに対して等しい場合、これも示される。マッピングにおいても同じ考え方が用いられる。
【００２３】
第１に、エンコードされたチャネル信号及び対応するサイド情報を有する送信信号のフレームの内容に関する説明が与えられる。図４は、フレームの略図を示す。同期情報（図示せず）に加えて、フレームは２つの単語ｗ１及びｗ２を有し、この後に予測されたフィルタに関するセグメンテーション情報が続く。次に、ｗ３があり、確率表に関するセグメンテーション情報が後続する。次に、２つの単語ｗ４及びｗ５があり、この後に予測されたフィルタに関するマッピング情報が続く。次に、ｗ６があり、確率表に関するマッピング情報が後続する。この後に、夫々発生ユニット１２及び１３によって供給されるフィルタ係数及び確率表が続く。フレームは算術エンコーダ６によて供給されるデータＤで終端する。
【００２４】
本例では、単語ｗ１は１ビットの長さであり値‘０’又は‘１’を有し得、フィルタ係数及び確率表に対するセグメント情報が同じ（‘１’）又は同じでない（‘０’）かを示す。本例では、単語ｗ４は１ビットの長さであり値‘０’又は‘１’を有し得、フィルタ係数及び確率表に対するマッピング情報が同じ（‘１’）又は同じでない（‘０’）かを示す。単語ｗ２も１ビットの長さであり値‘０’又は‘１’を有し得、チャネル信号が予測フィルタ係数に対して同じセグメンテーション情報を有する（‘１’）か有しない（‘０’）かを示す。単語ｗ３（１ビットの長さ）は、値‘０’又は‘１’を有し得、チャネル信号が確率表に対して同じセグメンテーション情報を有する（‘１’）か有しない（‘０’）かを示す。単語ｗ５も１ビットの長さであり値‘０’又は‘１’を有し得、チャネル信号が予測フィルタ係数に対して同じマッピング情報を有する（‘１’）か有しない（‘０’）かを示す。単語ｗ６（１ビットの長さ）は、値‘０’又は‘１’を有し得、チャネル信号が確率表に対して同じマッピング情報を有する（‘１’）か有しない（‘０’）かを示す。
【００２５】
第１に、フレーム中のセグメントＳの総数の表示を説明する。
【００２６】
数、例えば、特定のチャネル信号中のフレーム中のセグメントの総数を符号化するためには、ある種のランレングスの符号化が適用される。符号が小さい値のＳに対して短いことが重要である。チャネル中のセグメント数がＳ≧１であるため、Ｓ＝０である場合符号化される必要はない。ＳＡＣＤでは、以下の符号が使用される。
【００２７】
【表３】
0004482237.tif 000004
ここでは、“１”は区切文字として使用される。一般的に“０”及び“１”の役割が入れ替えられ得ることは明らかである。区切文字の基本的な考えは、あるシーケンスが侵害される、即ち、“０”のシーケンスが“１”によって侵害されることである。選択肢として、例えば、次の記号を“逆にする”場合、“逆にしない”が区切文字として使用される。このようにして、長く一定のシーケンスが回避される。“１”から始まるシーケンス（ＳＡＣＤ中では使用されないを逆にする例は、
【００２８】
【表４】
0004482237.tif 000005
として示される。
【００２９】
第２に、セグメントの寸法の表示を説明する。セグメントの長さは、チャネル信号のバイト数によって表わされる。チャネル信号のフレーム中のＢバイトは、Ｓセグメントに仕切られる。最初のＳ−１セグメントに対して、各セグメントのバイト数は指定されなくてはならない。Ｓ番目のセグメントに対してバイト数は暗に指定され、この数はチャネル中の残留するバイト数である。セグメントｉの中のバイト数は、
Ｂｉであり、従って最後のセグメント中のバイト数は、
【００３０】
【数３】
0004482237.tif 000006
である。
【００３１】
最初のＳ−１セグメント中のバイト数がＲの倍数であり、このとき解像度Ｒ≧１、であるため
【００３２】
【数４】
0004482237.tif 000007
である。
【００３３】
ｂｉのＳ−１値は記憶され、Ｒは、Ｓ＞１の場合及び別のチャネルのために既に記憶されているときはチャネル中に記憶される。
【００３４】
ｂｉを記憶するために要求されるビット数はその可能な値に依存する。
【００３５】
【数５】
0004482237.tif 000008
であるため、ｂｉを記憶するために要求されるビットは、
【００３６】
【数６】
0004482237.tif 000009
である。
【００３７】
これは、セグメントの長さに対して要求されるビット数がフレームの終端にあるセグメントに対して減少し得るといった利点を有する。例えば、セグメントの最小の長さに対して制約が課された場合、ビット数の計算はそれに応じて適合される。解像度Ｒを記憶するためのビット数は、＃ビット（Ｒ）である。
【００３８】
第３に、シリアルデータストリーム中のセグメンテーション情報の表示を説明する。表１の下で上記に提供された表示が利用される。これは、幾つかの例によって示される。
【００３９】
フィルタ及び確率表を識別するためには、下付き文字ｆ及びｔが使用される。異なるチャネル中のセグメント間を識別するためには、二重の議論（チャネル数、セグメント数）が使用される。
【００４０】
次に、第１の例を示す。２チャネルの場合、フィルタ及び確率表に対して異なるセグメンテーションを有し、このセグメンテーションは夫々のチャネルに対して異なる。以下の表はストリーム中のパラメータを示す。
【００４１】
【表５】
0004482237.tif 000010
上記表２において、（０，１）に等しい第１の組み合わせ（ｙ１，ｙ２）は上記表１中のコードワードの符号（Ｓ）であり、０と数が付けられたチャネル信号中でフレームが予測フィルタリングの目的のために２つのセグメントに分割されることを示す。更に、（０，０，１）に等しい（ｙ１，ｙ２，ｙ３）は、上記表１中のコードワードの符号（Ｓ）であり、１と数が付けられたチャネル信号中でフレームが予測フィルタリングの目的のために３つのセグメントに分割されることを示す。次に、（１）に等しい組み合わせ（ｙ１）があり、これは表１中で第１のコードワードであり０と数が付けられたチャネル信号中でフレームは確率表のために分割されないことを示す。最後に、（０，０，１）に等しい（ｙ１，ｙ２，ｙ３）があり、これは第２のチャネル信号のフレームが夫々対応する確率表を有する３つのセグメントに分割されることを示す。
【００４２】
次に、５チャネルの場合の別の例を示す。この５チャネルの場合、フィルタ及び表に対して等しいセグメンテーションを有し、このセグメンテーションは全てのチャネルで等しいことを仮定する。
【００４３】
【表６】
0004482237.tif 000011
セグメンテーション情報中に交互に配置された符号（Ｓ）の単一ビットは、“０”の場合“別のセグメントが指定される”、“１”の場合“以降セグメントは指定されない”として解釈され得る。
【００４４】
次にマッピングを説明する。
【００４５】
全てのチャネルの全てのセグメントを併せて考慮した場合、各セグメントに対してどのフィルタ又は表が使用されるかを指定しなくてはならない。セグメントは、最初にチャネル０のセグメント、その後にチャネル１のセグメント等と順序づけられる。
【００４６】
セグメントｓに対するフィルタ又表の数Ｎ（ｓ）は
【００４７】
【数７】
0004482237.tif 000012
として定義され、このとき、Ｎｍａｘ（ｓ）は、所与のセグメントに対する最大可能な数であり、これは
【００４８】
【数８】
0004482237.tif 000013
として定義される。
【００４９】
Ｎ（ｓ）を記憶するために要求されるビット数は、
【００５０】
【数９】
0004482237.tif 000014
に等しい。
【００５１】
この方法に従ってフィルタ又は表を記憶するために要求されるビット数は、既に割当てられた数の組に依存する。
【００５２】
常に可能ではないが、表がフィルタと同じマッピングを使用する場合これが示される。更に、全てのチャネルが同じマッピングを使用するときのもこれは示される。
【００５３】
２つの例によって考えが示される。
【００５４】
例３
全体として７つのセグメント（０から６）を有することを仮定すると、幾つかのセグメントは同じフィルタを使用し又幾つかは固有のフィルタを使用する。更に、表はフィルタと同じマッピング指定を使用することを仮定する。
【００５５】
【表７】
0004482237.tif 000015
セグメント番号０は、定義によりフィルタ番号０を使用し、この指定のためにビットが全く必要とされない。セグメント番号１は前に割当てられたフィルタ（０）又は次に高いがまだ割当てられていないフィルタ（１）を使用してもよく、この指定に対して１ビットが必要とされる。本例では、セグメント番号１は、フィルタ番号０を使用する。セグメント番号２は、前に割当てられたフィルタ（０）又は次に高いがまだ割当てられていないフィルタ（１）を使用してもよく、この指定では１ビットが必要とされる。本例では、セグメント番号２はフィルタ番号１を使用する。
【００５６】
セグメント番号３は、前に割当てられたフィルタ（０又は１）若しくは次に高いがまだ割当てられていないフィルタ（２）を使用してもよく、この指定のために２ビットが必要とされる。本例では、セグメント番号３はフィルタ番号２を使用する。
【００５７】
セグメント番号４は、前に割当てられたフィルタ（０、１、又は、２）若しくは次に高いがまだ割当てられていないフィルタ（３）を使用してもよく、この指定のために２ビットが必要とされる。本例では、セグメント番号４はフィルタ番号３を使用する。セグメント番号５は、前に割当てられたフィルタ（０、１、２、又は、３）若しくは次に高いがまだ割当てられていないフィルタ（４）を使用してもよく、この指定のために３ビットが必要とされる。本例では、セグメント番号５はフィルタ番号３を使用する。
【００５８】
セグメント番号６は、前に割当てられたフィルタ（０、１、２、又は、３）若しくは次に高いがまだ割当てられていないフィルタ（４）を使用してもよく、この指定のために３ビットが必要とされる。本例では、セグメント番号６はフィルタ番号１を使用する。
【００５９】
合計して１２ビットがマッピングを記憶するために要求される。セグメントの総数（本例では７つのセグメント）は、この時点でストリーム中で知られている。
【００６０】
【表８】
0004482237.tif 000016
別の例を参照すると、全部で６つのチャネルを有し、このチャネルは夫々が同じ予測フィルタ及び同じ確率表を夫々使用するセグメントを１つ有することを仮定する。
【００６１】
【表９】
0004482237.tif 000017
全部で２ビットが完全なマッピングを記憶するために要求される。
【００６２】
以下の指定が他の適用法（例えば、表に対してフィルタに対して使用されると同じセグメンテーションが使用される）のためにも使用される理由は、デコーダを簡略化するからである。
【００６３】
本発明は、その好ましい実施例を参照して説明されたが、それらは制限的な例でないことを理解するべきである。従って、特許請求の範囲によって定義される本発明の範囲から逸脱することなく様々な変更が当業者に明らかになり得る。例として、本発明は、セグメンテーションを使用すること無く時間的等価信号ブロックがエンコードされる実施例中に組込まれてもよい。このような実施例では、図４のデータストリームと同様に得られたシリアルデータストリームはフィルタ及び確率表に対して図４で説明したセグメント情報、並びに、表示単語ｗ１、ｗ２、及び、ｗ３のような表示単語を有しない。更に、本発明は、一つ一つの全ての新しい特徴及び特徴の組み合わせに存在する。
【図面の簡単な説明】
【図１】  ａは無損失エンコーダの回路図を示し、ｂは線形の予測及び算術エンコードを用いて対応するデコーダの回路図を示す図である。
【図２】  多重チャネル情報信号の後のフレームを示す図である。
【図３】  多重チャネル情報信号の時間的等価フレームのセグメンテーションを示す図である。
【図４】  エンコード装置の出力信号のフレームの内容を示す図である。
【図１ａ】
0004482237.tif 000024
【図１ｂ】
0004482237.tif 000025
【図２】
0004482237.tif 000026
【図３】
0004482237.tif 000027
【図４】
0004482237.tif 000028